(57)【要約】  【課題】  大梁の間隔に対し、小梁の設計スパンを小さくして、小梁の断面性能（断面２次モーメント）を大きくすることなく、床の振動性能を向上できるようにした床架構を提供する。  【解決手段】  半導体製造工場、プラズマディスプレイや液晶パネルの製造工場など厳しい振動スペックが要求される工場に好適な鉄骨造の床架構であって、大梁１と大梁１間に架設された小梁３とを方杖部材４で連結することによって、大梁１の間隔Ｌ１に対し、小梁３の設計スパンＬ２を小さくしてある。  【選択図】  図１
2006112050.tif 000002
【特許請求の範囲】
【請求項１】
大梁と大梁間に架設された小梁とを方杖部材で連結することによって、大梁の間隔に対し、小梁の設計スパンを小さくしたことを特徴とする床架構。
【請求項２】
大梁がトラス梁とされ、トラス梁の下弦材と小梁とを方杖部材で連結したことを特徴とする請求項１に記載の床架構。
【請求項３】
大梁がＨ形鋼とされ、Ｈ形鋼の下フランジ近傍部と小梁とを方杖部材で連結したことを特徴とする請求項１に記載の床架構。
【請求項４】
大梁がＨ形鋼とされ、Ｈ形鋼の下フランジから下方へ垂設した束材の下端部と小梁とを方杖部材で連結したことを特徴とする請求項１に記載の床架構。
【発明の詳細な説明】
【技術分野】
【０００１】
本発明は、例えば、半導体製造工場、プラズマディスプレイや液晶パネルの製造工場など厳しい振動スペックが要求される工場に好適な鉄骨造の床架構に関する。
【背景技術】
【０００２】
一般に、半導体製造工場、プラズマディスプレイや液晶パネルの製造工場などでは、厳しい微振動条件が要求され、如何に低コストで床の振動性能を向上させるかが重要な課題となっている。
【０００３】
これらの工場は、設備類の将来的なレイアウト変更等に対処するフレキシビリティーの観点から大スパン架構で構築されることが多い。そのため、大梁スパンだけでなく、大梁間の間隔も広く設計されることが多い。また、クリーンルームを構成する必要上、床下には、多量の配管、配線等の設備が設けられる。
【０００４】
大梁で囲まれた床スラブの床振動性能は、スラブ自体の振動性能およびスラブを支持する小梁の振動性能で決定されるが、スラブスパン（小梁の間隔）に比べ小梁スパン（大梁間に架設される小梁の長さ）が大きいため、小梁の振動性能で床としての振動性能が決定されることが多い。
【０００５】
そのため、従来では、上記の工場のように、小梁スパンが大きい場合、小梁の部材断面を大きくすることによって、小梁の剛性を高め、小梁の振動性能を向上させるようにしていた。これは、床の振動性能を向上させる点では有効であるが、小梁の部材断面を大きくすることによって、小梁の梁成が高くなり、床下の設備スペースを確保する上で不利であった。
【０００６】
ところで、床の振動性能と相関関係がある小梁のたわみは、スパン長さの４乗に比例する。従って、小梁を方杖部材付きの小梁とすることによって、小梁の設計スパンを小さくすれば、小梁の断面性能（断面２次モーメント）を大きくすることなく、小梁のたわみを抑制することが可能であり、小梁の振動性能の向上に極めて有効である。
【０００７】
尚、鉄骨造の柱梁仕口構造において、ピン接合された柱と梁を方杖部材で連結することにより、柱梁間に剛接合部を構成して、柱梁によるラーメン架構を構成することは、特許文献１，２等によって知られており、さらに、前記方杖部材を極軟鋼で作製することにより安価な制振架構を構成することは、特許文献２によって知られている。また、特許文献３には、トラス梁の下弦材に沿って配置したＰＣ鋼材を緊張することにより、下弦材にプレストレス（圧縮力）を導入する一方、下弦材と、複数のトラス梁の上弦材間に架設された連結部材とを斜材（引張り材）で連結することにより、プレストレス（圧縮力）が導入されることに起因する下弦材の面外方向への振れを防止することが開示されている。
【０００８】
しかしながら、特許文献１，２に記載の公知技術は、柱と梁をピン接合としながらも柱梁間に剛接合部を構成するために柱と梁の間に方杖部材を設けたものであり、大梁と小梁との間に方杖部材を設けたものではない。特許文献３に記載の斜材は、プレストレス（圧縮力）が導入されることに起因する下弦材の振れを防止する引張り材であり、長期荷重を負担する小梁を突き上げる圧縮材ではない。
【０００９】
【特許文献１】特開平７−６２７３５号公報
【特許文献２】特開２００１−３２９６１１号公報
【特許文献３】特開平６−１０８５８７号公報
【発明の開示】
【発明が解決しようとする課題】
【００１０】
本発明は、上記の考察結果に基づいて成されたものであって、大梁の間隔に対し、小梁の設計スパンを小さくして、小梁の断面性能（断面２次モーメント）を大きくすることなく、床の振動性能を向上できるようにした床架構を提供することを課題とする。
【課題を解決するための手段】
【００１１】
上記の課題を解決するために、本発明が講じた技術的手段は、次のとおりである。即ち本発明による床架構は、大梁と大梁間に架設された小梁とを方杖部材で連結することによって、大梁の間隔に対し、小梁の設計スパンを小さくしたことを特徴としている。
【００１２】
尚、大梁と小梁を方杖部材で連結するにあたっては、請求項２に記載のように、大梁がトラス梁である場合、トラス梁の下弦材と小梁とを方杖部材で連結し、大梁が梁成の大きいＨ形鋼である場合、請求項３に記載のように、Ｈ形鋼の下フランジ近傍部と小梁とを方杖部材で連結することになる。また、大梁がＨ形鋼であるが、大梁の梁成が小さくて、方杖部材の傾斜下端部を支持できない場合には、請求項４に記載のように、Ｈ形鋼の下フランジから下方へ垂設した束材の下端部と小梁とを方杖部材で連結すればよい。
【発明の効果】
【００１３】
本発明によれば、大梁と小梁を方杖部材で連結するので、大梁同士の間隔に対し、小梁の設計スパンを小さくすることができ、小梁の部材断面を小さく抑えながらも小梁に発生するたわみを抑制することが可能である。
【００１４】
また、方杖部材を付けることで、小梁の設計スパンが小さくなり、小梁の部材断面を小さくできるので、小梁の梁成を小さくして、小梁の中央部下に大きな設備スペースを確保することが可能である。
【００１５】
しかも、小梁の部材断面を小さくすることによる低コスト化に加え、方杖部材を大梁の横補剛材に兼用することで、部材数の削減による低コスト化を図り得る効果がある。
【発明を実施するための最良の形態】
【００１６】
図１は本発明に係る床架構の一例を示す。この床架構は、例えば、半導体製造工場、プラズマディスプレイや液晶パネルの製造工場など厳しい振動スペックが要求される工場ににおける大スパンの鉄骨造の床架構であり、大梁１は、鋼材使用量や鋼材重量の低減によって大きなスパン長を経済的に実現するために、上弦材２ａと、下弦材２ｂと、それらの間に設けられた斜材２ｃを備えたトラス梁とされている。
【００１７】
３は並列する大梁（トラス梁）１の上弦材２ａ間に架設された小梁であり、大梁（トラス梁）１の下弦材２ｂと小梁３とを方杖部材４で連結することによって、大梁１の間隔（小梁が単純梁である場合の設計スパン）Ｌ１に対し、小梁３の設計スパンＬ２を小さくしてある。５は小梁３と大梁１に支持された床スラブや床仕上げ材（フリーアクセスフロアなど）を示す。方杖部材４としては、例えば、チャンネル材やアングル材など小梁３が負担する長期荷重に伴う圧縮力に耐え得る断面性能の鋼材が使用される。６ａは小梁３の下面に溶接されたガセットプレート、６ｂは下弦材２ｂに溶接されたガセットプレートであり、方杖部材４とガセットプレート６ａ，６ｂとはボルト・ナット（例えばハイテンションボルト）７等によって連結されている。
【００１８】
上記の構成によれば、大梁１と小梁３を方杖部材４で連結するので、大梁１の間隔Ｌ１
に対し、小梁３の設計スパンＬ２を小さくすることができ、小梁３の部材断面を小さく抑えながらも小梁３に発生するたわみを抑制することが可能であり、低コストで床の振動性能を向上することができる。
【００１９】
また、方杖部材４を付けることで、小梁３の設計スパンＬ２が小さくなり、小梁３の部材断面を小さくできるので、小梁３の梁成を小さくして、小梁３の中央部下に大きな設備スペースを確保することが可能である。
【００２０】
図２は本発明に係る床架構の他の例を示す。この床架構は、大きなスパン長を実現するために大梁１が梁成の大きいＨ形鋼とされており、大梁（Ｈ形鋼）１の下フランジ１ａ近傍部と小梁３とを方杖部材４で連結した点に特徴がある。その他の構成、作用は、図１の実施形態と同じであるため、同一構成部材に同一符号を付し、説明を省略する。
【００２１】
図３は本発明に係る床架構の他の例を示す。この床架構は、大梁１のスパンが小さく、大梁１として梁成の小さいＨ形鋼が使用されており、大梁１で直接方杖部材４の傾斜下端部を支持できないため、大梁（Ｈ形鋼）１の下フランジ１ａから下方へ鋼製の束材８を垂設し、束材８の下端部と小梁３とを方杖部材４で連結した点に特徴がある。この構成によっても、図１や図２に示す実施形態と同様な作用効果が得られることになる。
【００２２】
以上、本発明を図示の実施形態に基づいて説明したが、本発明は図示の実施形態だけに限定されるものではなく、本発明の要旨を逸脱しない範囲において、種々なる態様で実施し得ることは勿論である。
【図面の簡単な説明】
【００２３】
【図１】本発明に係る床架構を例示する側面図である。
【図２】本発明に係る床架構の他の例を示す側面図である。
【図３】本発明に係る床架構の他の例を示す側面図である。
【符号の説明】
【００２４】
１  大梁
３  小梁
４  方杖部材
Ｌ１  大梁の間隔
Ｌ２  小梁の設計スパン
【図１】
2006112050.tif 000003
【図２】
2006112050.tif 000004
【図３】
2006112050.tif 000005